(57)【要約】【課題】Ｉｄｌｅモードの移動局ＵＥに対する測定処理用サブフレームを適切に設定し通知する。【解決手段】本発明に係る移動通信システムは、マクロセルとピコセルとＣＳＧセルとは、地理的に少なくとも一部で重畳するように形成されており、無線基地局ｅＮＢ＃１は、第１報知情報によって、マクロセルにおいて測定処理用ＡＢＳとして設定されている第１サブフレームを通知するように構成されており、無線基地局ｅＮＢ＃２は、第２報知情報によって、マクロセルにおいて測定処理用ＡＢＳとして設定されている第２サブフレームを通知するように構成されており、無線基地局ｅＮＢ＃３は、第３報知情報によって、ＣＳＧセルにおいて測定処理用ＡＢＳとして設定されている第３サブフレームを通知するように構成されている。【選択図】図２
2013090148.tif 000002
【特許請求の範囲】
【請求項１】
マクロセルを管理する第１無線基地局と、ピコセルを管理する第２無線基地局と、ＣＳＧセルを管理する第３無線基地局とを具備する移動通信システムであって、
前記マクロセルと前記ピコセルと前記ＣＳＧセルとは、地理的に少なくとも一部で重畳するように形成されており、
前記第１無線基地局は、第１報知情報によって、前記マクロセルにおいて測定処理用ＡＢＳ（Ａｌｍｏｓｔ  Ｂｌａｎｋ  Ｓｕｂｆｒａｍｅ）として設定されている第１サブフレームを通知するように構成されており、
前記第２無線基地局は、第２報知情報によって、前記マクロセルにおいて測定処理用ＡＢＳとして設定されている第２サブフレームを通知するように構成されており、
前記第３無線基地局は、第３報知情報によって、前記ＣＳＧセルにおいて測定処理用ＡＢＳとして設定されている第３サブフレームを通知するように構成されていることを特徴とする移動通信システム。
【請求項２】
前記ピコセルにて待ち受け状態である移動局は、前記第２報知情報によって通知された前記第２サブフレームにおいて、該ピコセルにおける測定処理を行ように構成されており、
前記ピコセルにて待ち受け状態である移動局は、周辺ピコセルについて通知された場合には、前記第２サブフレームにおいて、該周辺ピコセルにおける測定処理を行うように構成されていることを特徴とする請求項１に記載の移動通信システム。
【請求項３】
前記マクロセルにて待ち受け状態であり且つ前記ＣＳＧセルの外に位置する移動局は、前記第１報知情報によって通知された前記第１サブフレームにおいて、該ピコセルにおける測定処理を行うように構成されており、
前記マクロセルにて待ち受け状態であり且つ前記ＣＳＧセルの外に位置する移動局は、周辺ピコセルについて通知された場合には、前記第１サブフレームにおいて、該周辺ピコセルにおける測定処理を行うように構成されていることを特徴とする請求項１に記載の移動通信システム。
【請求項４】
前記マクロセルにて待ち受け状態であり且つ前記ＣＳＧセル内に位置する移動局は、前記第３報知情報によって通知された前記第３サブフレームにおいて、該マクロセル及び前記ピコセルにおける測定処理を行うように構成されていることを特徴とする請求項１に記載の移動通信システム。
【請求項５】
マクロセルにおいて待ち受け状態である場合で、同一周波数内測定処理を行う条件が満たされた場合で、かつ、周辺にＣＳＧセルが存在することが検出された場合に、該ＣＳＧセルにおける報知情報を介して、該ＣＳＧセルにおいて測定処理用ＡＢＳ（Ａｌｍｏｓｔ  Ｂｌａｎｋ  Ｓｕｂｆｒａｍｅ）として設定されているサブフレームを示す情報を受信するように構成されている受信部と、
前記サブフレームにおいて、前記マクロセル及び該マクロセルの周辺セルにおける測定処理を開始し、所定タイマを起動するように構成されている測定部とを具備し、
前記所定タイマが満了した場合に、前記測定部は、前記サブフレームにおける前記測定処理を停止し、任意のサブフレームにおける該測定処理を行うように構成されていることを特徴とする移動局。
【請求項６】
マクロセルにおいて待ち受け状態である場合に、ＣＳＧセルが近づいたこと及び該ＣＳＧセルが遠ざかったことを検出するように構成されている判定部と、
前記ＣＳＧセルが近づいたことが検出された場合に、該ＣＳＧセルにおける報知情報を介して、該ＣＳＧセルにおいて測定処理用ＡＢＳ（Ａｌｍｏｓｔ  Ｂｌａｎｋ  Ｓｕｂｆｒａｍｅ）として設定されているサブフレームを示す情報を受信するように構成されている受信部と、
前記サブフレームにおいて、前記マクロセル及び該マクロセルの周辺セルにおける測定処理を開始するように構成されている測定部とを具備し、
前記ＣＳＧセルが遠ざかったことが検出された場合に、前記測定部は、前記サブフレームにおける前記測定処理を停止し、任意のサブフレームにおける該測定処理を行うように構成されていることを特徴とする移動局。
【発明の詳細な説明】
【技術分野】
【０００１】
本発明は、移動通信システム及び移動局に関する。
【背景技術】
【０００２】
ＬＴＥ（Ｌｏｎｇ  Ｔｅｒｍ  Ｅｖｏｌｕｔｉｏｎ）のＲｅｌ-１０方式における「ｅＩＣＩＣ（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）」では、個別ＲＲＣ（Ｒａｄｉｏ  Ｒｅｓｏｕｒｃｅ  Ｃｏｎｔｒｏｌ）シグナリングによって、Ｃｏｎｎｅｃｔｅｄモード（接続状態）の移動局ＵＥに対して、「Ｍｅａｓｕｒｅｍｅｎｔ  Ｓｕｂｆｒａｍｅ  Ｐａｔｔｅｒｎ」を通知することが合意されている。
【０００３】
ここで、「Ｍｅａｓｕｒｅｍｅｎｔ  Ｓｕｂｆｒａｍｅ  Ｐａｔｔｅｒｎ」は、Ｃｏｎｎｅｃｔｅｄモードの移動局ＵＥが、ＲＳＲＰ（Ｒｅｆｅｒｅｎｃｅ  Ｓｉｇｎａｌ  Ｒｅｃｅｉｖｅｄ  Ｐｏｗｅｒ）やＲＳＲＱ（Ｒｅｆｅｒｅｎｃｅ  Ｓｉｇｎａｌ  Ｒｅｃｅｉｖｅｄ  Ｑｕａｌｉｔｙ）を測定し、無線リンク（Ｒａｄｉｏ  Ｌｉｎｋ）を監視するために用いられるサブフレーム（測定処理用サブフレーム）を示す情報である。
【先行技術文献】
【非特許文献】
【０００４】
【非特許文献１】３ＧＰＰ  ＴＳ３６.３００
【非特許文献２】３ＧＰＰ  ＴＳ３６.３３１
【発明の概要】
【発明が解決しようとする課題】
【０００５】
しかしながら、ＬＴＥのＲｅｌ-１０方式における「ｅＩＣＩＣ」において、Ｉｄｌｅモード（待ち受け状態）の移動局ＵＥに対する具体的な測定処理用サブフレームの通知方法については合意されていない。
【０００６】
特に、マクロセル（Ｍａｃｒｏ  ｃｅｌｌ）、ピコセル（Ｐｉｃｏ  ｃｅｌｌ）及びＣＳＧセル（Ｃｌｏｓｅｄ  Ｓｕｂｓｃｒｉｂｅｒ  Ｇｒｏｕｐ  ｃｅｌｌ）が混在する環境において、各セルを管理する無線基地局ｅＮＢの各々が、Ｉｄｌｅモードの移動局ＵＥに対する測定処理用サブフレームを、どのように設定し通知すべきか合意されていないという問題点があった。
【０００７】
そこで、本発明は、上述の課題に鑑みてなされたものであり、Ｉｄｌｅモードの移動局ＵＥに対する測定処理用サブフレームを適切に設定し通知することができる移動通信システム及び移動局を提供することを目的とする。
【課題を解決するための手段】
【０００８】
本発明の第１の特徴は、マクロセルを管理する第１無線基地局と、ピコセルを管理する第２無線基地局と、ＣＳＧセルを管理する第３無線基地局とを具備する移動通信システムであって、前記マクロセルと前記ピコセルと前記ＣＳＧセルとは、地理的に少なくとも一部で重畳するように形成されており、前記第１無線基地局は、第１報知情報によって、前記マクロセルにおいて測定処理用ＡＢＳ（Ａｌｍｏｓｔ  Ｂｌａｎｋ  Ｓｕｂｆｒａｍｅ）として設定されている第１サブフレームを通知するように構成されており、前記第２無線基地局は、第２報知情報によって、前記マクロセルにおいて測定処理用ＡＢＳとして設定されている第２サブフレームを通知するように構成されており、前記第３無線基地局は、第３報知情報によって、前記ＣＳＧセルにおいて測定処理用ＡＢＳとして設定されている第３サブフレームを通知するように構成されていることを要旨とする。
【０００９】
本発明の第２の特徴は、移動局であって、マクロセルにおいて待ち受け状態である場合で、同一周波数内測定処理を行う条件が満たされた場合で、かつ、周辺にＣＳＧセルが存在することが検出された場合に、該ＣＳＧセルにおける報知情報を介して、該ＣＳＧセルにおいて測定処理用ＡＢＳ（Ａｌｍｏｓｔ  Ｂｌａｎｋ  Ｓｕｂｆｒａｍｅ）として設定されているサブフレームを示す情報を受信するように構成されている受信部と、前記サブフレームにおいて、前記マクロセル及び該マクロセルの周辺セルにおける測定処理を開始し、所定タイマを起動するように構成されている測定部とを具備し、前記所定タイマが満了した場合に、前記測定部は、前記サブフレームにおける前記測定処理を停止し、任意のサブフレームにおける該測定処理を行うように構成されていることを要旨とする。
【００１０】
本発明の第３の特徴は、移動局であって、マクロセルにおいて待ち受け状態である場合に、ＣＳＧセルが近づいたこと及び該ＣＳＧセルが遠ざかったことを検出するように構成されている判定部と、前記ＣＳＧセルが近づいたことが検出された場合に、該ＣＳＧセルにおける報知情報を介して、該ＣＳＧセルにおいて測定処理用ＡＢＳ（Ａｌｍｏｓｔ  Ｂｌａｎｋ  Ｓｕｂｆｒａｍｅ）として設定されているサブフレームを示す情報を受信するように構成されている受信部と、前記サブフレームにおいて、前記マクロセル及び該マクロセルの周辺セルにおける測定処理を開始するように構成されている測定部とを具備し、前記ＣＳＧセルが遠ざかったことが検出された場合に、前記測定部は、前記サブフレームにおける前記測定処理を停止し、任意のサブフレームにおける該測定処理を行うように構成されていることを要旨とする。
【発明の効果】
【００１１】
以上説明したように、本発明によれば、Ｉｄｌｅモードの移動局ＵＥに対する測定処理用サブフレームを適切に設定し通知することができる移動通信システム及び移動局を提供することができる。
【図面の簡単な説明】
【００１２】
【図１】本発明の第１の実施形態に係る移動通信システムの全体構成図である。
【図２】本発明の第１の実施形態に係る無線基地局によって送信される報知情報の内容の一例を示す図である。
【図３】本発明の第１の実施形態に係る移動局の機能ブロック図である。
【図４】本発明の第１の実施形態に係る移動局の動作を説明するための図である。
【図５】本発明の変更例１に係る移動局の動作を示すシーケンス図である。
【発明を実施するための形態】
【００１３】
（本発明の第１の実施形態に係る移動通信システム）
図１乃至図４を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１４】
本実施形態に係る移動通信システムでは、「ｅＩＣＩＣ」を行うことができるように構成されている。
【００１５】
図１に示すように、本実施形態に係る移動通信システムは、マクロセルを管理する無線基地局ｅＮＢ＃１と、ピコセルを管理する無線基地局ｅＮＢ＃２と、ＣＳＧセル（フェムトセル：Ｆｅｍｔｏ  ｃｅｌｌ）を管理する無線基地局ｅＮＢ＃３（ＨｅＮＢ＃３）とを具備している。
【００１６】
本実施形態に係る移動通信システムでは、マクロセルとピコセルとＣＳＧセルとは、地理的に少なくとも一部で重畳するように形成されている。具体的には、図１に示すように、本実施形態に係る移動通信システムでは、マクロセル内に、ピコセル及びＣＳＧセルが含まれるような構成となっている。
【００１７】
なお、図１に示すように、ピコセルの周囲において、マクロセルに接続する移動局ＭＵＥが、トラフィック分散のために、なるべくピコセルに接続するように、ハンドオーバの閾値を（例えば、セル固有のオフセット値「Ｃｅｌl  Ｉｎｄｉｖｉｄｕａｌ  Ｏｆｆｓｅｔ」）を設定する「ＣＲＥ（Ｃｅｌｌ  Ｒａｎｇｅ  Ｅｘｐａｎｓｉｏｎ）」と呼ばれる技術が、適用されていてもよい。
【００１８】
図２に示すように、無線基地局ｅＮＢ＃１は、第１報知情報（例えば、ＳＩＢ３又はＳＩＢ４）によって、Ｉｄｌｅモードの移動局ＵＥに対する測定処理用サブフレームとして、マクロセルにおいて測定処理用ＡＢＳ（Ａｌｍｏｓｔ  Ｂｌａｎｋ  Ｓｕｂｆｒａｍｅ）として設定されている第１サブフレームを通知するように構成されている。
【００１９】
なお、無線基地局ｅＮＢ＃１は、必要に応じて、第１報知情報によって、第１サブフレームを用いて測定処理を行うことを可能とする周辺ピコセルについて通知する、具体的には、かかる周辺ピコセルの「Ｐｈｙｃｉｃａｌ  Ｃｅｌｌ  ＩＤリスト」を通知するように構成されていてもよい。
【００２０】
また、無線基地局ｅＮＢ＃２は、第２報知情報（例えば、ＳＩＢ３又はＳＩＢ４）によって、Ｉｄｌｅモードの移動局ＵＥに対する測定処理用サブフレームとして、マクロセルにおいて測定処理用ＡＢＳとして設定されている第２サブフレームを通知するように構成されている。
【００２１】
なお、無線基地局ｅＮＢ＃２は、必要に応じて、第２報知情報によって、第１サブフレームを用いて測定処理を行うことを可能とする周辺ピコセルについて通知する、具体的には、かかる周辺ピコセルの「Ｐｈｙｃｉｃａｌ  Ｃｅｌｌ  ＩＤリスト」を通知するように構成されていてもよい。
【００２２】
さらに、無線基地局ｅＮＢ＃３は、第３報知情報（例えば、ＳＩＢ３又はＳＩＢ４）によって、Ｉｄｌｅモードの移動局ＵＥに対する測定処理用サブフレームとして、ＣＳＧセルにおいて測定処理用ＡＢＳとして設定されている第３サブフレームを通知するように構成されている。
【００２３】
なお、Ｉｄｌｅモードの移動局ＵＥに対する測定処理用サブフレームとしての第３サブフレームは、無線基地局ｅＮＢ＃１によって通知されるように構成されていてもよい。
【００２４】
ここで、ピコセルにてＩｄｌｅモードである移動局ＵＥ（ＰＵＥ）は、第２報知情報によって通知された第２サブフレームにおいて、かかるピコセル（サービングセル）における測定処理を行うように構成されていてもよい。
【００２５】
なお、ピコセルにてＩｄｌｅモードである移動局ＵＥ（ＰＵＥ）は、任意のサブフレームにおいて、かかるピコセルの周辺マクロセル、かかるピコセルの周辺ピコセル、及び、かかるピコセルの周辺ＣＳＧセルにおける測定処理を行うように構成されていてもよい。
【００２６】
ここで、ピコセルにてＩｄｌｅモードである移動局ＵＥ（ＰＵＥ）は、周辺ピコセルについて通知された場合、具体的には、周辺ピコセルの「Ｐｈｙｃｉｃａｌ  Ｃｅｌｌ  ＩＤリスト」が通知された場合には、上述の第２サブフレームにおいて、かかる周辺ピコセルにおける測定処理を行うように構成されていてもよい。
【００２７】
また、マクロセルにてＩｄｌｅモードであり且つＣＳＧセルの外に位置する移動局ＵＥ（ＭＵＥ）は、第１報知情報によって通知された第１サブフレームにおいて、ピコセル（マクロセルの周辺ピコセル）における測定処理を行うように構成されていてもよい。
【００２８】
ここで、マクロセルにてＩｄｌｅモードであり且つＣＳＧセルの外に位置する移動局ＵＥ（ＭＵＥ）は、周辺ピコセルについて通知された場合、具体的には、周辺ピコセルの「Ｐｈｙｃｉｃａｌ  Ｃｅｌｌ  ＩＤリスト」が通知された場合には、第１サブフレームにおいて、かかる周辺ピコセルにおける測定処理を行うように構成されていてもよい。
【００２９】
なお、マクロセルにてＩｄｌｅモードであり且つＣＳＧセルの外に位置する移動局ＵＥ（ＭＵＥ）は、任意のサブフレームにおいて、かかるマクロセル（サービングセル）、かかるマクロセルの周辺マクロセル、及び、かかるマクロセルの周辺ＣＳＧセルにおける測定処理を行うように構成されていてもよい。
【００３０】
さらに、マクロセルにてＩｄｌｅモードであり且つＣＳＧセル内に位置する移動局ＵＥ（ＭＵＥ）は、第３報知情報によって通知された第３サブフレームにおいて、かかるマクロセル（サービングセル）、ピコセル（マクロセルの周辺ピコセル）、及び、かかるマクロセルの周辺マクロセルにおける測定処理を行うように構成されていてもよい。
【００３１】
なお、マクロセルにてＩｄｌｅモードであり且つＣＳＧセル内に位置する移動局ＵＥ（ＭＵＥ）は、任意のサブフレームにおいて、かかるマクロセルの周辺ＣＳＧセルにおける測定処理を行うように構成されていてもよい。
【００３２】
図１の例では、マクロセルにてＩｄｌｅモードである移動局ＵＥ（ＭＵＥ）は、地点Ａにおいて、マクロセルからピコセルへのセル再選択（Ｃｅｌｌ  ｒｅｓｅｌｅｃｔｉｏｎ）を行い、地点Ｂにおいて、ピコセルからマクロセルへのセル再選択を行うように構成されている。
【００３３】
ここで、かかる移動局ＵＥ（ＭＵＥ）は、再選択したセル（マクロセル又はピコセル）における報知情報（例えば、ＳＩＢ３又はＳＩＢ４）によって、Ｉｄｌｅモードの移動局ＵＥに対する測定処理用サブフレームが通知されていた場合、かかる測定処理用サブフレームにおいて、再選択したセルにおいて指示されている測定処理を行うように構成されていてもよい。
【００３４】
図３に示すように、移動局ＵＥは、管理部１１と、受信部１２と、測定部１３と、判定部１４とを具備している。
【００３５】
受信部１２は、無線基地局ｅＮＢ＃１〜ｅＮＢ＃３から各種信号を受信するように構成されている。
【００３６】
例えば、受信部１２は、無線基地局ｅＮＢ＃３から、ＣＳＧセルにおける報知情報を受信するように構成されており、かかる報知情報を介して、Ｉｄｌｅモードの移動局ＵＥに対する測定処理用サブフレームとして、かかるＣＳＧセルにおいて測定処理用ＡＢＳとして設定されているサブフレームを示す情報（「Ｍｅａｓｕｒｅｍｅｎｔ  Ｓｕｂｆｒａｍｅ  Ｐａｔｔｅｒｎ」）を受信するように構成されている。
【００３７】
管理部１１は、Ｉｄｌｅモードの移動局ＵＥに対する測定処理用サブフレーム、例えば、かかるＣＳＧセルにおいて測定処理用ＡＢＳとして設定されているサブフレームを管理するように構成されている。
【００３８】
判定部１４は、マクロセルにおいてＩｄｌｅモードであるか否か、Ｉｎｔｒａ-ｆｒｅｑｕｅｎｃｙ  ｍｅａｓｕｒｅｍｅｎｔ（周波数内測定処理）を行う条件が満たされたか否か、また、周辺にＣＳＧセルが存在することが検出された否か（或いは、ＣＳＧセル内に位置するか否か）について判定するように構成されている。
【００３９】
例えば、判定部１４は、「受信電力Ｓｒｘｌｅｖ≦ＳＩｎｔｒａＳｅａｒｃｈＰ」又は「受信品質Ｓｑｕａｌ≦ＳＩｎｔｒａＳｅａｒｃｈＱ」が満たされた場合に、Ｉｎｔｒａ-ｆｒｅｑｕｅｎｃｙ  ｍｅａｓｕｒｅｍｅｎｔを行う条件が満たされたと判定するように構成されていてもよい。
【００４０】
また、判定部１４は、受信部１２によって受信されたＳＩＢ４に含まれる「ＣＳＧ  ＰＣＩ  ｓｐｌｉｔ  ｒａｎｇｅ」を用いて、周辺にＣＳＧセルが存在するか否か（或いは、ＣＳＧセル内に位置するか否か）について判定するように構成されていてもよい。
【００４１】
ここで、判定部１４が、マクロセルにおいてＩｄｌｅモードであり、Ｉｎｔｒａ-ｆｒｅｑｕｅｎｃｙ  ｍｅａｓｕｒｅｍｅｎｔを行う条件が満たされており、かつ、周辺にＣＳＧセルが存在することが検出された（或いは、ＣＳＧセル内に位置する）と判定した場合に、受信部１２は、かかるＣＳＧセルにおける報知情報から、かかるＣＳＧセルにおいて測定処理用ＡＢＳとして設定されているサブフレームを示す情報を受信するように構成されており、測定部１３は、上述のＣＳＧセルにおいて測定処理用ＡＢＳとして設定されているサブフレームにおいて、マクロセル及びマクロセルの周辺セル（周辺マクロセル及び周辺ピコセル）における測定処理を開始し、所定タイマ（Ｔ３ＸＸ）を起動するように構成されている。かかる場合、測定部１３は、移動局ＵＥが地点Ｃに存在すると推定している。
【００４２】
なお、測定部１３は、所定タイマが満了した場合に、かかるサブフレームにおける測定処理を停止し、任意のサブフレームにおける測定処理を行うように構成されている、すなわち、かかるサブフレームを解放するように構成されている。かかる場合、測定部１３は、移動局ＵＥが地点Ｄに存在すると推定している。
【００４３】
以下、図４を参照して、本実施形態に係る移動局ＵＥの動作、具体的には、本実施形態に係る移動局ＵＥ（ＭＵＥ）がマクロセルにおいてＩｄｌｅモードである場合の動作について説明する。
【００４４】
図４に示すように、移動局ＵＥは、ステップＳ１０１において、Ｉｎｔｒａ-ｆｒｅｑｕｅｎｃｙ  ｍｅａｓｕｒｅｍｅｎｔを行う条件（所定条件）が満たされており、かつ、周辺にＣＳＧセルが存在することが検出されたと判定した場合に、ステップＳ１０２において、かかるＣＳＧセルにおける報知情報を介して、Ｉｄｌｅモードの移動局ＵＥに対する測定処理用サブフレームとして、かかるＣＳＧセルにおいて測定処理用ＡＢＳとして設定されているサブフレームを示す情報を受信する。
【００４５】
ステップＳ１０３において、移動局ＵＥは、かかるサブフレームにおいて、マクロセル及びマクロセルの周辺セル（周辺マクロセル及び周辺ピコセル）における測定処理を開始し、所定タイマ（Ｔ３ＸＸ）を起動する。
【００４６】
移動局ＵＥは、ステップＳ１０４において、所定タイマが満了したことを検出すると、ステップＳ１０５において、上述の測定処理用ＡＢＳを用いた測定処理を停止し、以降は、任意のサブスレームを用いた測定処理を行う。
【００４７】
本実施形態に係る移動通信システムによれば、無線基地局ｅＮＢ＃１〜ｅＮＢ＃３におけるＩｄｌｅモードの移動局ＵＥに対する測定処理用サブフレームの設定/通知方法について、及び、移動局ＵＥ（ＰＵＥ又はＭＵＥ）において用いられる測定処理用サブフレームについて明確に規定されているため、マクロセル、ピコセル及びＣＳＧセルが混在する環境において、適切に「ｅＩＣＩＣ」を実現することができる。
【００４８】
（変更例１）
以下、図５を参照して、本発明の変更例１に係る移動通信システムについて、上述の第１の実施形態に係る移動通信システムとの相違点に着目して説明する。
【００４９】
本変更例１では、移動局ＵＥは、マクロセルにおいてＩｄｌｅモードであるものとする。
【００５０】
判定部１４は、ＣＳＧセルが近づいたこと及びＣＳＧセルが遠ざかったことを検出するように構成されている。
【００５１】
例えば、判定部１４は、ＧＰＳ情報や、かかるＣＳＧセルにおける測定結果等を用いて、すなわち、ＬＴＥのＲｅｌ-９方式で採用されている「Ｐｒｏｘｉｍｉｔｙ  Ｉｎｄｉｃａｔｉｏｎ機能」を用いて、ＣＳＧセルが近づいたこと及びＣＳＧセルが遠ざかったことを検出するように構成されていてもよい。
【００５２】
ここで、判定部１４が、ＣＳＧセルが近づいたことを検出した場合に、受信部１２は、かかるＣＳＧセルにおける報知情報を介して、かかるＣＳＧセルにおいて測定処理用ＡＢＳとして設定されているサブフレームを示す情報を受信するように構成されており、測定部１３は、かかるサブフレームにおいて、マクロセル及びマクロセルの周辺セルにおける測定処理を開始するように構成されている。かかる場合、測定部１３は、移動局ＵＥが地点Ｃに存在すると推定している。
【００５３】
また、判定部１４が、かかるＣＳＧセルが遠ざかったことを検出した場合に、測定部１３は、かかるサブフレームにおける測定処理を停止するように構成されている、すなわち、かかるサブフレームを解放するように構成されている。かかる場合、測定部１３は、移動局ＵＥが地点Ｄに存在すると推定している。
【００５４】
以下、図５を参照して、本変更例１に係る移動局ＵＥの動作、具体的には、本変更例１に係る移動局ＵＥ（ＭＵＥ）がマクロセルにおいてＩｄｌｅモードである場合の動作について説明する。
【００５５】
図５に示すように、移動局ＵＥは、ステップＳ２０１において、ＣＳＧセルが近づいたことを検出した場合に、ステップＳ２０２において、かかるＣＳＧセルにおける報知情報を介して、Ｉｄｌｅモードの移動局ＵＥに対する測定処理用サブフレームとして、かかるＣＳＧセルにおいて測定処理用ＡＢＳとして設定されているサブフレームを示す情報を受信する。
【００５６】
ステップＳ２０３において、移動局ＵＥは、かかるサブフレームにおいて、マクロセル及びマクロセルの周辺セル（周辺マクロセル及び周辺ピコセル）における測定処理を開始する。
【００５７】
移動局ＵＥは、ステップＳ２０４において、ＣＳＧセルが遠ざかったことを検出した場合に、ステップＳ２０５において、上述の測定処理を停止する。
【００５８】
以上に述べた本実施形態の特徴は、以下のように表現されていてもよい。
【００５９】
本実施形態の第１の特徴は、マクロセルを管理する無線基地局ｅＮＢ＃１（第１無線基地局）と、ピコセルを管理する無線基地局ｅＮＢ＃２（第２無線基地局）と、ＣＳＧセルを管理する無線基地局ｅＮＢ＃３（第３無線基地局）とを具備する移動通信システムであって、マクロセルとピコセルとＣＳＧセルとは、地理的に少なくとも一部で重畳するように形成されており、無線基地局ｅＮＢ＃１は、第１報知情報によって、マクロセルにおいて測定処理用ＡＢＳ（Ａｌｍｏｓｔ  Ｂｌａｎｋ  Ｓｕｂｆｒａｍｅ）として設定されている第１サブフレームを通知するように構成されており、無線基地局ｅＮＢ＃２は、第２報知情報によって、マクロセルにおいて測定処理用ＡＢＳとして設定されている第２サブフレームを通知するように構成されており、無線基地局ｅＮＢ＃３は、第３報知情報によって、ＣＳＧセルにおいて測定処理用ＡＢＳとして設定されている第３サブフレームを通知するように構成されていることを要旨とする。
【００６０】
本実施形態の第１の特徴において、ピコセルにてＩｄｌｅモードである移動局ＵＥは、第２報知情報によって通知された第２サブフレームにおいて、ピコセルにおける測定処理を行うように構成されており、かかるピコセルにてＩｄｌｅモードである移動局ＵＥは、周辺ピコセルについて通知された場合には、かかる第２サブフレームにおいて、かかる周辺ピコセルにおける測定処理を行うように構成されていてもよい。
【００６１】
本実施形態の第１の特徴において、マクロセルにてＩｄｌｅモードであり且つＣＳＧセルの外に位置する移動局ＵＥは、第１報知情報によって通知された第１サブフレームにおいて、ピコセルにおける測定処理を行うように構成されており、マクロセルにてＩｄｌｅモードであり且つＣＳＧセルの外に位置する移動局ＵＥは、周辺ピコセルについて通知された場合には、かかる第１サブフレームにおいて、かかる周辺ピコセルにおける測定処理を行うように構成されていてもよい。
【００６２】
本実施形態の第１の特徴において、マクロセルにてＩｄｌｅモードであり且つＣＳＧセル内に位置する移動局ＵＥは、第３報知情報によって通知された第３サブフレームにおいて、マクロセル及びピコセルにおける測定処理を行うように構成されていてもよい。
【００６３】
本実施形態の第２の特徴は、移動局ＵＥであって、マクロセルにおいてＩｄｌｅモードである場合で、Ｉｎｔｒａ-ｆｒｅｑｕｅｎｃｙ  ｍｅａｓｕｒｅｍｅｎｔ（同一周波数内測定処理）を行う条件が満たされた場合で、かつ、周辺にＣＳＧセルが存在することが検出された場合に、かかるＣＳＧセルにおける報知情報を介して、かかるＣＳＧセルにおいて測定処理用ＡＢＳとして設定されているサブフレームを示す情報（「Ｍｅａｓｕｒｅｍｅｎｔ  Ｓｕｂｆｒａｍｅ  Ｐａｔｔｅｒｎ」）を受信するように構成されている受信部１２と、かかるサブフレームにおいて、マクロセル及びマクロセルの周辺セルにおける測定処理を開始し、所定タイマを起動するように構成されている測定部１３とを具備し、所定タイマが満了した場合に、測定部１３は、かかるサブフレームにおける測定処理を停止し、任意のサブフレームにおける測定処理を行うように構成されていることを要旨とする。
【００６４】
本実施形態の第３の特徴は、移動局ＵＥであって、マクロセルにおいてＩｄｌｅモードである場合に、ＣＳＧセルが近づいたこと及びＣＳＧセルが遠ざかったことを検出するように構成されている判定部１４と、ＣＳＧセルが近づいたことが検出された場合に、かかるＣＳＧセルにおける報知情報を介して、かかるＣＳＧセルにおいて測定処理用ＡＢＳとして設定されているサブフレームを示す情報（「Ｍｅａｓｕｒｅｍｅｎｔ  Ｓｕｂｆｒａｍｅ  Ｐａｔｔｅｒｎ」）を受信するように構成されている受信部１２と、かかるサブフレームにおいて、マクロセル及びマクロセルの周辺セルにおける測定処理を開始するように構成されている測定部１３とを具備し、かかるＣＳＧセルが遠ざかったことが検出された場合に、測定部１３は、かかるサブフレームにおける測定処理を停止し、任意のサブフレームにおける測定処理を行うように構成されていることを要旨とする。
【００６５】
なお、上述の無線基地局ｅＮＢ＃１/ｅＮＢ＃２/ｅＮＢ＃３（ＨｅＮＢ＃３）や移動局ＵＥの動作は、ハードウェアによって実施されてもよいし、プロセッサによって実行されるソフトウェアモジュールによって実施されてもよいし、両者の組み合わせによって実施されてもよい。
【００６６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ＃１/ｅＮＢ＃２/ｅＮＢ＃３（ＨｅＮＢ＃３）や移動局ＵＥ内に設けられていてもよい。また、かかる記憶媒体及びプロセッサは、ディスクリートコンポーネントとして無線基地局ｅＮＢ＃１/ｅＮＢ＃２/ｅＮＢ＃３（ＨｅＮＢ＃３）や移動局ＵＥ内に設けられていてもよい。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６９】
ｅＮＢ＃１、ｅＮＢ＃２、ｅＮＢ＃３（ＨｅＮＢ＃３）…無線基地局
ＵＥ、ＭＵＥ、ＰＵＥ…移動局
１１…管理部
１２…受信部
１３…測定部
１４…判定部
【図１】
2013090148.tif 000003
【図２】
2013090148.tif 000004
【図３】
2013090148.tif 000005
【図４】
2013090148.tif 000006
【図５】
2013090148.tif 000007